(57)【要約】【課題】画質の劣化を防止する露光器の制御方法および画像形成装置の提供。【解決手段】制御部１０に露光器の傾き検出器１１を設け検出された信号は、傾き量演算器１２と傾き方向演算器１３に入力される。傾き量演算器１２と傾き方向演算器１３の演算結果は、補正値演算器１４に入力される。補正値演算器１４は、発光光量の増減値を演算し、補正値ＬＵＴ１５にデータを格納する。露光制御部１６は、補正値ＬＵＴ１５の所用のデータにアクセスし、露光器５の各発光素子の光量を制御する。【選択図】  図１
2009053570.tif 000002
【特許請求の範囲】
【請求項１】
結像レンズが感光体の軸方向および感光体の回動方向に複数配置され、各結像レンズに対応して複数の発光素子からなる発光素子グループを配列し、前記感光体の回動方向に配置された異なる結像レンズにそれぞれ対応する発光素子グループにより、前記感光体の軸方向の隣接した位置に潜像を形成する露光器を有し、
前記露光器の前記感光体に対する傾きを検出する段階と、
前記傾きに対応した光量補正値を演算する段階と、
前記光量補正値により、前記発光素子グループの感光体の軸方向端部における発光素子の光量を補正する段階と、
からなることを特徴とする、露光器の制御方法。
【請求項２】
前記発光素子グループにより、前記感光体の軸方向に形成される潜像が重なる部分に対応する発光素子の光量を減少させるように補正することを特徴とする、請求項１に記載の露光器の制御方法。
【請求項３】
前記発光素子グループにより、前記感光体の軸方向に形成される潜像に間隙が生じる部分に対応する発光素子の光量を増大させるように補正することを特徴とする、請求項１に記載の露光器の制御方法。
【請求項４】
前記発光素子の光量を減少させるような補正、または発光素子の光量を増大させるような補正を同時に行うことを特徴とする、請求項１に記載の露光器の制御方法。
【請求項５】
前記発光素子グループにより、前記感光体の軸方向に形成される潜像の端部の濃度に基づいて、前記発光素子の光量を補正することを特徴とする、請求項１に記載の露光器の制御方法。
【請求項６】
前記回動方向に複数配置された各結像レンズに対応するそれぞれの発光素子グループにより、前記感光体の軸方向に潜像を形成する際の隣接する端部に対応する、各発光素子グループの発光素子は前記光量補正データが同じ値であることを特徴とする、請求項１ないし請求項５のいずれかに記載の露光器の制御方法。
【請求項７】
前記結像レンズは光学倍率がマイナスのレンズであることを特徴とする、請求項１ないし請求項６のいずれかに記載の露光器の制御方法。
【請求項８】
像担持体の周囲に帯電手段と、請求項１ないし請求項７のいずれかに記載の方法で制御される露光器と、現像手段と、転写手段との各画像形成用ユニットを配した画像形成ステーションを少なくとも２つ以上設け、転写媒体が各ステーションを通過することにより、タンデム方式で画像形成を行うことを特徴とする、画像形成装置。
【発明の詳細な説明】
【技術分野】
【０００１】
本発明は、露光器に結像レンズを用いたときの画像形成の品質劣化を防止する、露光器の制御方法および画像形成装置に関するものである。
【背景技術】
【０００２】
電子写真の技術において、カラー画像を形成するタンデム方式の画像形成装置が知られている。この画像形成装置は、トナー像形成手段を、中間転写ベルトに対して、複数個（例えば４個）配置する。これら単色トナー像形成手段による感光体上のトナー像を順次中間転写ベルトに転写して、中間転写ベルト上で複数色（例えば、イエロー、シアン、マゼンタ、ブラック（黒）のトナー像を重ね合わせ、中間転写ベルト上でカラー画像を得る中間転写ベルト形式のものがある。
【０００３】
このような画像形成装置において、露光器（ラインヘッド）として発光体アレイを用いる技術が知られている。例えば、特許文献１には、
ｍ行×ｎ列（ｍは主走査方向、ｎは副走査方向）の発光素子をマトリクス状に配置したＬＥＤアレイヘッドが記載されている。このＬＥＤアレイヘッドには、光学倍率がマイナスの単一のマイクロレンズが用いられている。
【０００４】
また、マイクロレンズを用いるラインヘッドにおいては、高解像度化を果たすために、主走査方向、および副走査方向の２次元的に配置された発光素子群を各マイクロレンズレンズに対応させ、マイクロレンズを前記のようにｍ行×ｎ列に配置することが考えられる。
【０００５】
【特許文献１】特開２００１−６３１３９号公報
【発明の開示】
【発明が解決しようとする課題】
【０００６】
特許文献１に記載されているようなＬＥＤアレイヘッドが、感光体に対して傾いて取り付けられたときには、傾きの方向に依存して、重なりの関係になる発光素子と、ギャップの関係になる発光素子とが同時に存在することになる。このように、ＬＥＤアレイヘッド傾いて取り付けられた時には、出力画像に黒スジ、もしくは白スジが同時に発生し、画質の低下を招くという問題があった。
【０００７】
また、前記マイクロレンズをｍ行×ｎ列に配置するラインヘッドにおいても、ラインヘッドの取り付けが感光体に対して傾いて取り付けられたときには、マイクロレンズに対応した発光素子群同士の間でも主走査方向にギャップ、若しくは重なりが発生してしまうことになり、画像に縦スジが発生し、画質の低下を招くという問題があった。
【０００８】
本発明は従来技術のこのような問題点に鑑みてなされたものであり、その目的は、画質の劣化を防止できる露光器の制御方法および画像形成装置を提供することにある。
【課題を解決するための手段】
【０００９】
上記目的を達成する本発明の露光器の制御方法は、結像レンズが感光体の軸方向および感光体の回動方向に複数配置され、各結像レンズに対応して複数の発光素子からなる発光素子グループを配列し、
前記感光体の回動方向に配置された異なる結像レンズにそれぞれ対応する発光素子グループにより、前記感光体の軸方向の隣接した位置に潜像を形成する露光器を有し、
前記露光器の前記感光体に対する傾きを検出する段階と、
前記傾きに対応した光量補正値を演算する段階と、
前記光量補正値により、前記発光素子グループの感光体の軸方向端部における発光素子の光量を補正する段階と、
からなることを特徴とする。
【００１０】
また、本発明の露光器の制御方法は、前記発光素子グループにより、前記感光体の軸方向に形成される潜像が重なる部分に対応する発光素子の光量を減少させるように補正することを特徴とする。
【００１１】
また、本発明の露光器の制御方法は、前記発光素子グループにより、前記感光体の軸方向に形成される潜像に間隙が生じる部分に対応する発光素子の光量を増大させるように補正することを特徴とする。
【００１２】
また、本発明の露光器の制御方法は、前記発光素子の光量を減少させるような補正、または発光素子の光量を増大させるような補正を同時に行うことを特徴とする。
【００１３】
また、本発明の露光器の制御方法は、前記発光素子グループにより、前記感光体の軸方向に形成される潜像の端部の濃度に基づいて、前記発光素子の光量を補正することを特徴とする。
【００１４】
また、本発明の露光器の制御方法は、前記回動方向に複数配置された各結像レンズに対応するそれぞれの発光素子グループにより、前記感光体の軸方向に潜像を形成する際の隣接する端部に対応する、各発光素子グループの発光素子は前記光量補正データが同じ値であることを特徴とする。
【００１５】
また、本発明の露光器の制御方法は、前記結像レンズは光学倍率がマイナスのレンズであることを特徴とする。
【００１６】
本発明の画像形成装置は、像担持体の周囲に帯電手段と、前記いずれかに記載の方法で制御される露光器と、現像手段と、転写手段との各画像形成用ユニットを配した画像形成ステーションを少なくとも２つ以上設け、転写媒体が各ステーションを通過することにより、タンデム方式で画像形成を行うことを特徴とする。
【発明を実施するための最良の形態】
【００１７】
図３は、本発明の実施形態を示す説明図である。露光器（ラインヘッド）５には、光学倍率がマイナスの多数のマイクロレンズ１を有するマイクロレンズアレイ（ＭＬＡ）２が設けられている。各マイクロレンズ１には、発光体３が複数発光素子グループとして対応して配置されている。Ｙ方向は、感光体の回動方向（副走査方向）である。露光器５には、感光体の回動方向（副走査方向）に、複数行の発光素子ラインが設けられている。
【００１８】
各ＭＬ２に対応する発光素子グループは、感光体の軸方向（Ｘ方向）のライン毎にＡグループ、Ｂグループ、Ｃグループにグループ分けされている。各グループの露光器における一方端部の発光素子グループを３Ａａ、３Ｂａ、３Ｃａとする。また、主走査方向に次の位置に配列された発光素子グループを３Ａｂ、３Ｂｂ、３Ｃｂとする。例えば、Ａグループは、発光素子グループ３Ａａ、３Ａｂ、・・・で形成されている。
【００１９】
図４は、図３の露光器による感光体への潜像形成の例を示す説明図である。結像ドット６は、図３のＭＬＡ２におけるグループＡ、Ｂ、Ｃにより、図４のように感光体の軸方向に１列に形成される。この例では、発光素子グループ３Ａａ、３Ｂａ、３Ｃａ、３Ａｂ・・・により、順次感光体の軸方向に結像ドット６が形成される。すなわち、本発明の実施形態にかかる露光器は、図３で示したように、感光体の回動方向に異なる位置に配列されたマイクロレンズ１に対応した発光素子グループにより、感光体の軸方向に隣接した潜像を形成する。
【００２０】
ところで、本発明が対象としている露光器は、感光体に対して傾いて取り付けられることがある。図５は、露光器の傾きについて説明する説明図である。図５（ａ）は感光体４、露光器５をＸ方向（軸方向）でみた図、図５（ｂ）は概略の斜視図、図５（ｃ）は座標軸の方向を説明する図である。
【００２１】
図３で説明したように、露光器５は感光体の回動方向に複数行の発光素子列を有している。発光素子により、感光体面上に結像させるときに、感光体の回転方向（Ｙ方向）の最上流に結像する位置と、最下流に結像する位置との中心と、感光体軸Ｚとを結ぶ平面をＰ面とする。つぎにＰ面と感光体の外周が接する面をＱ面とする。さらにＰ面とＱ面の両方に垂直な面をＲ面とする。このとき、Ｑ面に対して垂直な軸に対する回転方向のことを、本発明においては露光器の感光体に対する「傾き」と定義する。
【００２２】
図６は、露光器５が感光体に対して傾いて取り付けられた例を示す説明図である。図６において、図３と同じところには同一の符号を付しており、詳細な説明は省略する。図６の例では、露光器５が正規の取り付け位置におけるＭＬ１を実線で示し、実際の取り付け位置におけるＭＬ１を破線で示している。図６は、図５（ａ）の感光体軸方向（Ｘ方向、Ｑ面）に対して、露光器５が図示の左側が下がり、右側が上がる方向に傾いている状態を示している。
【００２３】
図７は、露光器５が図６のように傾いて取り付けられている状態のときの感光体に形成される結像ドットを示す説明図である。図７において、３１は結像ドットが重なっている状態を示しており、３２は結像ドットに空隙がある状態を示している。すなわち、ＭＬＡ２の各ＭＬに対応する発光素子グループのＡグループとＢグループ、ＢグループとＣグループが隣接する位置の結像ドットが重なり、ＣグループとＡグループが隣接する位置の結像ドットに空隙が生じている。
【００２４】
図８は、図７のような結像ドットが生じる場合の発光素子の光量補正を行う例を示す説明図である。図８において、図７の結像ドットが重なっている３１の部分に対応する位置の発光素子は、光量を減少させる。この例では、Ｂグループ端部でＡグループ端部と重なる発光素子、およびＣグループ端部でＢグループ端部と重なる発光素子の光量を減少させるが、この際の両発光素子の補正データは同じとして、制御を簡略化している。３３は、このように発光素子の光量を減少させて形成された結像ドットを示している。
【００２５】
このように、本発明の実施形態においては、感光体の回動方向に複数配置された各結像レンズに対応するそれぞれの発光素子グループにより（Ａ〜Ｃグループ）、前記感光体の軸方向に潜像を形成する際の隣接する端部に対応する、各発光素子グループの発光素子は光量補正データが同じ値であることを特徴としている。
【００２６】
また図７の結像ドットに間隙がある３２の部分に対応する位置の発光素子は、光量を増加させる。この例では、Ｃグループ端部でＡグループ端部と隣接する発光素子と、Ａグループ端部でＣグループ端部と隣接する発光素子の光量補正データは同じとしている。３４は、このように発光素子の光量を増加させて形成された結像ドットを示している。なお、本発明の実施形態においては、前記のような光量の減少と光量の増大の補正は同時に行なっており、迅速な補正がなされる。
【００２７】
図９〜図１１は、本発明の異なる実施形態を示す説明図である。図９は、露光器５が正規の取り付け位置におけるＭＬ１を実線で示し、実際の取り付け位置におけるＭＬ１を破線で示している。図９は、図５（ａ）の感光体軸方向（Ｘ方向、Ｑ面）に対して、露光器５が図示右下が下がり、左上が上がる方向に傾いている状態を示している。
【００２８】
図１０は、露光器５が図９のように傾いて取り付けられている状態のときの感光体に形成される結像ドットを示す説明図である。図１０において、３５は結像ドットに空隙がある状態を示しており、３６は結像ドットが重なっている状態を示している。すなわち、ＭＬＡ２の各ＭＬに対応する発光素子グループのＡグループとＢグループ、ＢグループとＣグループが隣接する位置の結像ドットに空隙が生じ、ＣグループとＡグループが隣接する位置の結像ドットに重なりが生じている。
【００２９】
図１１は、図１０のような結像ドットが生じる場合の発光素子の光量補正を行う例を示す説明図である。図１１において、図１０の結像ドットが重なっている３６の部分に対応する位置の発光素子は、光量を減少させる。３８は、このように発光素子の光量を減少させて形成された結像ドットを示している。また図１０の結像ドットに間隙がある３５の部分に対応する位置の発光素子は、光量を増加させる。３７は、このように発光素子の光量を増加させて形成された結像ドットを示している。
【００３０】
図１は、本発明の制御部１０の実施形態を示すブロック図である。図１において、制御部１０に露光器の傾き検出器１１を設ける。傾き検出器１１で検出された信号は、傾き量演算器１２と傾き方向演算器１３に入力される。傾き方向演算器１３は、図５で説明したように露光器５が、Ｑ面に対して垂直な軸のどの方向に回転しているかを演算する。傾き量演算器１２と傾き方向演算器１３の演算結果は、補正値演算器１４に入力される。
【００３１】
補正値演算器１４は、図８、図１１で説明したような発光光量の増減値を演算し、補正値ＬＵＴ１５にデータを格納する。補正値ＬＵＴ１５については、図１２により後述する。露光制御部１６は、補正値ＬＵＴ１５の所用のデータにアクセスし、露光器５の各発光素子の光量を制御する。
【００３２】
図２は、前記ＭＬＡ２の各ＭＬに対応する発光素子のグループ分けによるグループ境界部分の結像ドットの濃度に基づいて、光量補正値を変更する例を示すブロック図である。この制御部２０は、境界濃度検出器１７を有し、その検出信号を境界濃度演算器１８に出力する。境界濃度演算器１８の演算結果は、補正値演算器１４に入力される。補正値演算器１４は、グループ境界濃度による光量補正を演算し、演算結果のデータは補正値ＬＵＴ１５に格納される。露光制御部１６は、補正値ＬＵＴ１５の所用のデータにアクセスし、露光器５の各発光素子の光量を制御する。
【００３３】
図１２は、図１、図２で説明した補正値ＬＵＴ１５に格納されているデータの例を示す説明図である。図１２において、Ａ〜Ｃ各グループの発光素子による結像ドットナンバーと、当該結像ドットナンバーに対応する各発光素子の光量調整値、グループ端部の光量調整オフセット値、光量補正データが格納されている。
【００３４】
光量調整値は、各発光素子の固有差を調整するためのデータであり、グループ端部の光量調整オフセット値を加算したデータが、最終的な各発光素子の光量補正データとなる。各発光素子の光量調整データは「７」を中心値とし、数字が大きくなると発光光量も多くなる。また端部光量調整オフセットは「３」を中心とし、この場合も数字が大きくなると光量が多くなる。したがって、最終的な光量補正データは「１０」が中心となる。
【００３５】
このように、本発明の実施形態においては、露光器の傾き量や、発光素子のグループ端部の結像ドットの濃度に基づいて、グループ端部光量調整オフセットのＬＵＴのデータを変更する。このＬＵＴのデータに基づいて、各発光素子の発光光量を調整する。このような処理を行うことにより、出力画像に黒スジ、もしくは白スジの発生による画質の低下を防止することができる。
【００３６】
本発明の実施形態においては、感光体に対して露光器が傾いて取り付けられたことに起因して発生する、結像位置ピッチ誤差を補正するために、発光素子のグループ端部の発光光量を制御する。また、前記グループ端部部分の発光素子で形成した像の濃度に基づいて、当該グループ端部の発光素子の光量を補正する。さらに、感光体に対する露光器の取り付けの傾き量に基づいて、前記グループ端部の発光素子の光量を補正する。
【００３７】
本発明の実施形態においては、露光器の制御を次のように行う。すなわち、露光器の傾きの方向と量の情報に基づいて、重なりの関係になる部分に対応する発光素子の発光量を小さくする。また、露光器の傾きの方向と傾きの量の情報に基づいて、隣接する潜像のギャップの関係になる部分に対応する発光素子の発光量を大きくする。さらに、隣接する潜像が重なりの関係になる部分と、ギャップの関係になる部分の発光素子とを同時に制御する。なお、感光体の軸方向に隣接する前記グループ組み合わせが同じ境界部の発光素子には、同じ補正データを使用する。
【００３８】
本発明の実施形態においては、４つの感光体に４つのラインヘッドで露光し、４色の画像を同時に形成し、１つの無端状中間転写ベルト（中間転写媒体）に転写する、タンデム式カラープリンター（画像形成装置）に用いるラインヘッドを対象としている。図１３は、発光素子として有機ＥＬ素子を用いたタンデム式画像形成装置の一例を示す縦断側面図である。この画像形成装置は、同様な構成の４個の露光器１０１Ｋ、１０１Ｃ、１０１Ｍ、１０１Ｙを、対応する同様な構成である４個の感光体ドラム（像担持体）４１Ｋ、４１Ｃ、４１Ｍ、４１Ｙの露光位置にそれぞれ配置したものであり、タンデム方式の画像形成装置として構成されている。
【００３９】
図１３に示すように、この画像形成装置は、駆動ローラ５１と従動ローラ５２とテンションローラ５３が設けられており、テンションローラ５３によりテンションを加えて張架されて、図示矢印方向（反時計方向）へ循環駆動される中間転写ベルト（中間転写媒体）５０を備えている。この中間転写ベルト５０に対して所定間隔で配置された４個の像担持体としての外周面に感光層を有する感光体４１Ｋ、４１Ｃ、４１Ｍ、４１Ｙが配置される。
【００４０】
前記符号の後に付加されたＫ、Ｃ、Ｍ、Ｙはそれぞれ黒、シアン、マゼンタ、イエローを意味し、それぞれ黒、シアン、マゼンタ、イエロー用の感光体であることを示す。他の部材についても同様である。感光体４１Ｋ、４１Ｃ、４１Ｍ、４１Ｙは、中間転写ベルト５０の駆動と同期して図示矢印方向（時計方向）へ回転駆動される。各感光体４１（Ｋ、Ｃ、Ｍ、Ｙ）の周囲には、それぞれ感光体４１（Ｋ、Ｃ、Ｍ、Ｙ）の外周面を一様に帯電させる帯電手段（コロナ帯電器）４２（Ｋ、Ｃ、Ｍ、Ｙ）と、この帯電手段４２（Ｋ、Ｃ、Ｍ、Ｙ）により一様に帯電させられた外周面を、感光体４１（Ｋ、Ｃ、Ｍ、Ｙ）の回転に同期して順次ライン走査する本発明の上記のような露光器１０１（Ｋ、Ｃ、Ｍ、Ｙ）が設けられている。
【００４１】
また、この露光器１０１（Ｋ、Ｃ、Ｍ、Ｙ）で形成された静電潜像に現像剤であるトナーを付与して可視像（トナー像）とする現像装置４４（Ｋ、Ｃ、Ｍ、Ｙ）と、この現像装置４４（Ｋ、Ｃ、Ｍ、Ｙ）で現像されたトナー像を一次転写対象である中間転写ベルト５０に順次転写する転写手段としての一次転写ローラ４５（Ｋ、Ｃ、Ｍ、Ｙ）と、転写された後に感光体４１（Ｋ、Ｃ、Ｍ、Ｙ）の表面に残留しているトナーを除去するクリーニング手段としてのクリーニング装置４６（Ｋ、Ｃ、Ｍ、Ｙ）とを有している。
【００４２】
ここで、各露光器１０１（Ｋ、Ｃ、Ｍ、Ｙ）は、露光器（Ｋ、Ｃ、Ｍ、Ｙ）のアレイ方向が感光体ドラム４１（Ｋ、Ｃ、Ｍ、Ｙ）の母線に沿うように設置される。そして、露光器１０１（Ｋ、Ｃ、Ｍ、Ｙ）の発光エネルギーピーク波長と、感光体４１（Ｋ、Ｃ、Ｍ、Ｙ）の感度ピーク波長とは略一致するように設定されている。
【００４３】
現像装置４４（Ｋ、Ｃ、Ｍ、Ｙ）は、例えば、現像剤として非磁性一成分トナーを用いるもので、その一成分現像剤を例えば供給ローラで現像ローラへ搬送し、現像ローラ表面に付着した現像剤の膜厚を規制ブレードで規制し、その現像ローラを感光体４１（Ｋ、Ｃ、Ｍ、Ｙ）に接触あるいは押厚させることにより、感光体４１（Ｋ、Ｃ、Ｍ、Ｙ）の電位レベルに応じて現像剤を付着させることによりトナー像として現像するものである。
【００４４】
このような４色の単色トナー像形成ステーションにより形成された黒、シアン、マゼンタ、イエローの各トナー像は、一次転写ローラ４５（Ｋ、Ｃ、Ｍ、Ｙ）に印加される一次転写バイアスにより中間転写ベルト５０上に順次一次転写され、中間転写ベルト５０上で順次重ね合わされてフルカラーとなったトナー像は、二次転写ローラ６６において用紙等の記録媒体Ｐに二次転写され、定着部である定着ローラ対６１を通ることで記録媒体Ｐ上に定着され、排紙ローラ対６２によって、装置上部に形成された排紙トレイ６８上へ排出される。
【００４５】
なお、図中、６３は多数枚の記録媒体Ｐが積層保持されている給紙カセット、６４は給紙カセット６３から記録媒体Ｐを一枚ずつ給送するピックアップローラ、６７は二次転写ローラ６６の二次転写部への記録媒体Ｐの供給タイミングを規定するゲートローラ対、６９は二次転写後に中間転写ベルト５０の表面に残留しているトナーを除去するクリーニング手段としてのクリーニングブレードである。
【００４６】
以上、本発明のラインヘッドの制御方法および画像形成装置をその原理と実施例に基づいて説明してきたが、本発明はこれら実施例に限定されず種々の変形が可能である。
【図面の簡単な説明】
【００４７】
【図１】本発明の実施形態を示すブロック図である。
【図２】本発明の実施形態を示すブロック図である。
【図３】本発明の実施形態を示す説明図である。
【図４】本発明の実施形態を示す説明図である。
【図５】本発明の実施形態を示す説明図である。
【図６】本発明の実施形態を示す説明図である。
【図７】本発明の実施形態を示す説明図である。
【図８】本発明の実施形態を示す説明図である。
【図９】本発明の実施形態を示す説明図である。
【図１０】本発明の処理手順を示すフローチャートである。
【図１１】本発明の実施形態を示す説明図である。
【図１２】本発明の実施形態を示す説明図である。
【図１３】本発明の電子写真プロセスを用いた画像形成装置の１実施例の全体構成を示す模式的断面図である。
【符号の説明】
【００４８】
１・・・マイクロレンズ（ＭＬ）、２・・・マイクロレンズアレイ（ＭＬＡ）、３・・・発光素子、４・・・感光体、５・・・露光器（ラインヘッド）、１０、２０・・・制御部、１１・・・傾き検出器、１２・・・傾き量演算器、１３・・・傾き方向演算器、１４・・・補正値演算器、１５・・・補正値ＬＵＴ、１６・・・露光制御部、１７・・・境界濃度検出器、１８・・・境界濃度演算器、４１（Ｋ、Ｃ、Ｍ、Ｙ）・・・感光体ドラム（像担持体）、４２（Ｋ、Ｃ、Ｍ、Ｙ）・・・帯電手段（コロナ帯電器）、４４（Ｋ、Ｃ、Ｍ、Ｙ）・・・現像装置、４５（Ｋ、Ｃ、Ｍ、Ｙ）・・・一次転写ローラ、５０・・・中間転写ベルト、６６・・・二次転写ローラ、１０１Ｋ、１０１Ｃ、１０１Ｍ、１０１Ｙ・・・露光器
【図１】
2009053570.tif 000003
【図２】
2009053570.tif 000004
【図３】
2009053570.tif 000005
【図４】
2009053570.tif 000006
【図５】
2009053570.tif 000007
【図６】
2009053570.tif 000008
【図７】
2009053570.tif 000009
【図８】
2009053570.tif 000010
【図９】
2009053570.tif 000011
【図１０】
2009053570.tif 000012
【図１１】
2009053570.tif 000013
【図１２】
2009053570.tif 000014
【図１３】
2009053570.tif 000015